【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
パケットデータネットワークおよび複数の無線通信装置に接続された不要トラフィックコントローラ（ＵＴＣ）を備えた無線通信ネットワークにおいて、該複数の無線通信装置のうちの第１のものに宛てたトラフィックを制御する方法であって、該方法は、
該複数の無線通信装置のうちの該第１のものに関連する一セットのトラフィック制御ルールを保存するステップと、
該複数の無線通信装置のうちの該第１のもののユーザーに対応するサブスクリプションアイデンティティを決定するステップと、
該パケットデータネットワークから受信された第１のパケットが、該複数の無線通信装置のうちの該第１のものに宛てたものであると決定するステップと、
該決定されたサブスクリプションアイデンティティに関連する該保存されたトラフィック制御ルールを選択するステップと、
該第１のパケットを該ユーザーが不要とするかどうかを決定するために、該選択されたトラフィック制御ルールを適用するステップと、
該第１のパケットを不要と決定した場合に、該複数の無線通信装置のうちの該第１のものへ該第１のパケットを送信させないようにするステップと
を含み、
該トラフィックは、インターネットプロトコルトラフィックを含み、
該一セットのトラフィック制御ルールは、該サブスクリプションアイデンティティに対応し、
該サブスクリプションアイデンティティは、該ユーザーの複数のインターネットプロトコルセッションにわたり持続する、方法。
【請求項２】
前記無線通信ネットワークがＣＤＭＡ無線ネットワークであり、前記ＵＴＣが少なくとも１つのＰＤＳＮ内に位置する、請求項１に記載の方法。
【請求項３】
前記無線通信ネットワークが、ＧＰＲＳ無線ネットワークであり、前記ＵＴＣがＳＧＳＮおよびＧＧＳＮのうちの１つに位置する、請求項１に記載の方法。
【請求項４】
前記一セットのトラフィック制御ルールが、暗黙的、明示的、動的、またはそれらを組み合わせたものである、請求項１に記載の方法。
【請求項５】
前記トラフィック制御ルールが暗黙的である場合、前記複数の無線通信装置のうちの前記第１のものが必要とするトラフィックに応答して、前記ＵＴＣが、該必要とするトラフィックのリストを更新し、該必要とするトラフィックに実質的に類似するトラフィックの前記パケットデータネットワークからの受信に応じて、該複数の無線通信装置のうちの該第１のものに実質的に類似するトラフィックを解放する、請求項４に記載の方法。
【請求項６】
前記トラフィック制御ルールが明示的である場合、特定の種類のトラフィックに関する前記複数の無線通信装置のうちの前記第１のものからのメッセージの受信に応じて、前記ＵＴＣが、該特定の種類のトラフィックを含めるようにリストを更新し、前記パケットデータネットワークから受信した場合は該特定の種類のトラフィックをブロックする、請求項４に記載の方法。
【請求項７】
前記トラフィック制御ルールが動的である場合、特定の種類のトラフィックの前記パケットデータネットワークからの第１の受信に応じて、該特定の種類のトラフィックを前記複数の無線通信装置のうちの前記第１のものに解放し、該特定の種類のトラフィックによってリストを更新し、該特定の種類のトラフィックに実質的に類似したトラフィックの第２の受信に応じて、該実質的に類似したトラフィックをブロックする、請求項４に記載の方法。
【請求項８】
前記サブスクリプションアイデンティティが、ＩＭＳＩ、ＮＡＩ、ＭＳＩＤＳＮ、およびＳＩＰ  ＵＲＬのうちの１つを含む、請求項１に記載の方法。
【請求項９】
前記第１のパケットが、インターネットプロトコル、音声、電子メール、ハイパーテキスト転送プロトコル、ファイル転送プロトコル、マルチメディアメッセージサービス、およびショートメッセージサービスのうちの少なくとも１つを含む、請求項１に記載の方法。
【請求項１０】
前記ＵＴＣはデリゲートするＵＴＣであり、前記方法は、
前記複数の無線通信装置のうちの前記第１のものに代わって前記第１のパケットを規定するために、規定メッセージの前記第１のパケットをデリゲートに送信するステップと、
該デリゲートするＵＴＣの該第１のパケットを保存するステップと、
該デリゲートするＵＴＣにおいて該デリゲートからルールを受信するステップと、
該受信されたルールによって、該保存された一セットのトラフィック制御ルールを更新するステップと
をさらに含む、請求項１に記載の方法。
【請求項１１】
前記無線通信ネットワークが、前記ＵＴＣと通信するサーバーをさらに備え、前記方法は、
該サーバー内の前記複数の無線通信装置のうちの前記第１のものに関連する装置プロファイルを作成するステップと、
該複数の無線通信装置のうちの該第１のものが非アクティブになったときに、該複数の無線通信装置のうちの該第１のものに関連する第１のＩＰアドレスを移譲し、該サーバーから該ＵＴＣに停止メッセージを送信するステップと、
該複数の無線通信装置のうちの該第１のものに関連する前記一セットのトラフィック制御ルールを識別するステップと、
その後の検索のために、該識別された一セットのトラフィック制御ルールを記憶装置に保存するステップと
をさらに含む、請求項１に記載の方法。
【請求項１２】
前記複数の無線通信装置のうちの前記第１のもののユーザーに対応する第２のＩＰアドレスを割り当てるステップと、
該複数の無線通信装置のうちの該第１のものがアクティブになったときに、該サーバーから前記ＵＴＣに開始メッセージを送信するステップと、
前記保存された一セットのトラフィック制御ルールを前記記憶装置から取り出すステップと、
該取り出されたルールを該第２のＩＰアドレスに関連づけるステップと
をさらに含む、請求項１１に記載の方法。
【請求項１３】
前記移譲された第１のＩＰアドレスを前記複数の無線通信装置のうちの第２のものに割り当てるステップと、
該第１のＩＰアドレスに関連する前記識別された一セットのトラフィックルールを逆にするステップと、
該複数の無線通信装置のうちの該第２のものがアクティブになったときに、前記サーバーから前記ＵＴＣに開始メッセージを送信するステップと、
該逆にされた一セットのトラフィック制御ルールを該複数の無線通信装置のうちの該第２のものに適用するステップと
をさらに含む、請求項１１に記載の方法。
【請求項１４】
前記ＵＴＣが送信元ＵＴＣであり、前記方法は、
前記第１のＩＰアドレスを移譲し、前記サーバーから該送信元ＵＴＣに、前記複数の無線通信装置のうちの前記第１のものが非アクティブになっていることを示す停止メッセージを送信するステップと、
前記識別された一セットのトラフィック制御ルールを宛先ＵＴＣに転送するステップと、
該複数の無線通信装置のうちの該第１のもののユーザーに対応する第２のＩＰアドレスを割り当てるステップと、
該サーバーから該宛先ＵＴＣに、該複数の無線通信装置のうちの該第１のものがアクティブになっていることを示す開始メッセージを送信するステップと、
該転送された一セットのトラフィック制御ルールを該複数の無線通信装置のうちの該第１のものに適用するステップと
をさらに含む、請求項１１に記載の方法。
【請求項１５】
コンピュータにより実行可能な命令を保存したコンピュータ可読媒体であって、該命令は、不要トラフィックコントローラ（ＵＴＣ）のプロセッサにより実行されたときに、該ＵＴＣが、
複数の無線通信装置のうちの特定の１つに関連する一セットのトラフィック制御ルールを保存し、
該複数の無線通信装置のうちの該特定の１つに対応するサブスクリプションアイデンティティを決定し、
パケットデータネットワークから受信された第１のパケットが、該複数の無線通信装置のうちの該特定の１つに宛てたものであると決定し、
該決定されたサブスクリプションアイデンティティに関連する該保存された一セットのトラフィック制御ルールを選択し、
該第１のパケットをユーザーが不要とするかどうかを決定するために、該選択したトラフィック制御ルールを適用し、
該第１のパケットを不要と決定した場合に、該複数の無線通信装置のうちの該特定の１つに該第１のパケットを送信させない
ようにさせ、
該ＵＴＣは、無線通信ネットワークに常駐し、該パケットデータネットワークおよび該複数の無線通信装置に接続され、
該トラフィックは、インターネットプロトコルトラフィックを含み、
該一セットのトラフィックルールは、該サブスクリプションアイデンティティに対応し、
該サブスクリプションアイデンティティは、該ユーザーの複数のインターネットプロトコルセッションにわたり持続する、コンピュータ可読媒体。
【請求項１６】
パケットデータネットワークおよび複数の無線通信装置に接続された不要トラフィックコントローラ（ＵＴＣ）を備えた無線通信ネットワークにおいて、該複数の無線通信装置のうちの特定の１つに宛てたトラフィックを制御する方法であって、該方法は、
該複数の無線通信装置のうちの該特定の１つに関連する一セットのトラフィック制御ルールを保存するステップと、
該複数の無線通信装置のうちの該特定の１つのユーザーに対応するサブスクリプションアイデンティティを決定するステップと、
該パケットデータから受信された第１のパケットが、該複数の無線通信装置のうちの該特定の１つに宛てたものであることを該ＵＴＣにおいて決定するステップと、
該決定されたサブスクリプションアイデンティティに関連する該保存されたトラフィック制御ルールを選択するステップと、
該第１のパケットを該ユーザーが不要とするかどうかを決定するために、該選択されたトラフィック制御ルールを適用するステップと、
該第１のパケットを不要と決定した場合に、該複数の無線通信装置のうちの該特定の１つに該第１のパケットを送信させないようにするステップと
を含み、
該トラフィックは、インターネットプロトコルトラフィックを含み、
該一セットのトラフィック制御ルールは、該サブスクリプションアイデンティティに対応し、
該サブスクリプションアイデンティティは、該ユーザーの複数のインターネットプロトコルセッションにわたり持続する、方法。
【請求項１７】
プッシュイニシエータおよび複数のプッシュ受信者に接続した不要トラフィックコントローラ（ＵＴＣ）を備えた無線通信ネットワークにおいて、該複数のプッシュ受信者に配信するためのプッシュ機能に転送されるプッシュデータを制御する方法であって、該方法は、
該複数のプッシュ受信者の特定の群に関連するサブスクリプションベースのファイアウォール（ＳＢＦ）ルールを保存するステップであって、該ＳＢＦルールは、該特定の群の複数のインターネットプロトコルセッションにわたり持続するサブスクリプションアイデンティティに基づく、ステップと、
該プッシュイニシエータから受信されたプッシュデータが、該特定の群を宛先としていることを決定するステップと、
該ＳＢＦルールを選択するステップと、
該プッシュデータを該特定の群が不要とするかどうかを決定するために、該選択したＳＢＦルールを適用するステップと、
該プッシュデータを不要と決定した場合に、該特定の群へ該プッシュデータを送信させないようにするステップと
を含み、
該プッシュデータは、インターネットプロトコルトラフィックを含み、
該ＳＢＦルールは、該サブスクリプションアイデンティティに対応する、方法。
【請求項１８】
前記プッシュイニシエータがパケットデータネットワークである、請求項１７に記載の方法。
【請求項１９】
前記複数のプッシュ受信者がそれぞれ無線通信装置である、請求項１８に記載の方法。
【請求項２０】
前記無線通信装置が公衆陸上モバイルネットワークである、請求項１９に記載の方法。
【請求項２１】
前記複数のプッシュの受信者のそれぞれが、テキストブラウザ、音声ブラウザ、および検索エンジンを含む群から選択されるプッシュユーザーエージェントを含む、請求項１９に記載の方法。
【請求項２２】
前記複数のプッシュの受信者のそれぞれが、前記ＵＴＣによってアクセス可能なプッシュサブスクリプションプロファイル（ＰＳＰ）によって制御され、該ＰＳＰは、前記プッシュイニシエータから受信することができる特定の種類のプッシュデータを定義する、請求項１９に記載の方法。
【請求項２３】
前記ＵＴＣがベアラパスに従った前記プッシュ受信者に接続され、該ベアラパスは、ＳＭＳ、ＳＩＰ、回路交換、パケット交換、トランクサービス、ＷＬＡＮ、ブロードキャストおよびマルチキャストパスを含む群から選択される、請求項１７に記載の方法。
【請求項２４】
一連の命令を表すコンピュータデータ信号を包含する搬送波であって、該一連の命令は、プロセッサにより実行されたときに、該プロセッサが、
複数の無線通信装置のうちの特定の１つに関連する一セットのトラフィック制御ルールを保存し、
該複数の無線通信装置のうちの該特定の１つに対応するサブスクリプションアイデンティティを決定し、
パケットデータネットワークから受信された第１のパケットが、該複数の無線通信装置のうちの該特定の１つに宛てたものであると決定し、
該決定されたサブスクリプションアイデンティティに関連する該保存された一セットのトラフィック制御ルールを選択し、
該第１のパケットをユーザーが不要とするかどうかを決定するために、該選択したトラフィック制御ルールを適用し、
該第１のパケットを不要と決定した場合に、該複数の無線通信装置のうちの該特定の１つに該第１のパケットを送信しない
ようにさせ、
該プロセッサは、不要トラフィックコントローラ（ＵＴＣ）であり、
該ＵＴＣは、無線通信ネットワークに常駐し、該パケットデータネットワークおよび該複数の無線通信装置に接続され、
該トラフィックは、インターネットプロトコルトラフィックを含み、
該一セットのトラフィックルールは、該サブスクリプションアイデンティティに対応し、
該サブスクリプションアイデンティティは、該ユーザーの複数のインターネットプロトコルセッションにわたり持続する、搬送波。
【請求項２５】
無線通信ネットワークにおいて、複数の無線通信装置のうちの特定の１つに宛てた不要なトラフィックを制御する装置であって、該装置は、
パケットデータネットワークからトラフィックを受信するように構成される第１のインターフェースと、
トラフィックを該複数の無線通信装置のうちの該特定の１つに送信するように構成される第２のインターフェースと、
一セットのトラフィック制御ルールを表すコンピュータにより実行可能な命令を保存する第１の記憶媒体と、
該第１および第２のインターフェース、ならびに該第１の記憶媒体と通信する不要トラフィックコントローラ（ＵＴＣ）と
を備え、
該ＵＴＣは、該複数の無線通信装置のうちの該特定の１つに割り当てられたサブスクリプションアイデンティティを決定し、
該複数の無線通信装置のうちの該特定の１つに該第２のインターフェースを通じて送信されないように、該第１のインターフェースを通じて該不要なトラフィックを選択的にブロックするために、該コンピュータにより実行可能な命令を実行し、
該トラフィックは、インターネットプロトコルトラフィックを含み、
該一セットのトラフィックルールは、該サブスクリプションアイデンティティに対応し、
該サブスクリプションアイデンティティは、ユーザーの複数のインターネットプロトコルセッションにわたり持続する、装置。
【請求項２６】
前記無線通信ネットワークがＧＰＲＳ無線ネットワークであり、前記ＵＴＣがＳＧＳＮおよびＧＧＳＮのうちの１つに位置する、請求項２５に記載の装置。
【請求項２７】
前記無線通信ネットワークがＣＤＭＡ無線ネットワークであり、前記ＵＴＣが少なくとも１つのＰＤＳＮに位置する、請求項２５に記載の装置。
【請求項２８】
前記一セットのトラフィック制御ルールが、暗黙的、明示的、動的、またはそれらを組み合わせたものである、請求項２５に記載の装置。
【請求項２９】
前記サブスクリプションアイデンティティが、ＩＭＳＩ、ＮＡＩ、ＭＳＩＤＳＮ、およびＳＩＰ  ＵＲＬのうちの１つを含む、請求項２５に記載の装置。
【請求項３０】
前記トラフィックが、インターネットプロトコル、音声、電子メール、ハイパーテキスト転送プロトコル、ファイル転送プロトコル、マルチメディアメッセージサービス、およびショートメッセージサービスのうちの少なくとも１つを含む、請求項２５に記載の装置。
【請求項３１】
前記複数の無線通信装置のうちの前記特定の１つに代わって前記第１のパケットを規定するために、前記ＵＴＣと通信するデリゲートをさらに含む、請求項２５に記載の装置。
【請求項３２】
前記複数の無線通信装置のそれぞれに関連する加入者情報を管理するために、前記ＵＴＣと通信するサーバーをさらに備える、請求項２５に記載の装置。
【請求項３３】
前記複数の無線通信装置のうちの前記特定の１つが非アクティブになったときに、前記一セットのトラフィック制御ルールを保存するための、前記ＵＴＣと通信する第２の記憶媒体をさらに備える、請求項３２に記載の装置。
【請求項３４】
無線通信ネットワークにおいて、複数の無線通信装置のうちの特定の１つに宛てた不要なトラフィックを制御する装置であって、該装置は、
サブスクリプションベースのファイアウォール（ＳＢＦ）に関連するサブスクリプションベースのファイアウォールルールを有するＳＢＦを含む不要トラフィックコントローラ（ＵＴＣ）であって、該ＳＢＦルールは、複数のインターネットプロトコルセッションにわたり持続する、ＵＴＣと、
該ＵＴＣと通信するパケットデータネットワークを含むプッシュイニシエータと、
該ＵＴＣと通信する少なくとも１つの無線通信装置を含むプッシュ受信者と
を備え、
該ＵＴＣが該プッシュイニシエータから受信するプッシュデータには、該プッシュデータが不要であるかどうかを決定するために該ＳＢＦが適用され、
該プッシュデータは、インターネットプロトコルプッシュデータを含み、
該サブスクリプションベースのファイアウォールルールは、サブスクリプションアイデンティティに対応する、装置。
【請求項３５】
無線通信ネットワークにおいて、複数の無線通信装置のうちの特定の１つに対する不要なトラフィックを制御する装置であって、該装置は、
パケットデータネットワークからトラフィックを受信するための手段と、
トラフィックを該複数の無線通信装置のうちの該特定の１つに送信するための手段と、
一セットのトラフィック制御ルールを表すコンピュータ実行可能な命令を保存するための手段であって、該トラフィック制御ルールは、複数のインターネットプロトコルセッションにわたり持続する、手段と、
該パケットデータネットワークから受信し、該複数の無線通信装置のうちの該特定の１つに宛てたトラフィックを選択的にブロックするために、該コンピュータ実行可能な命令を実行するための手段と
を備え、
該実行するための手段は、該受信するための手段、該送信するための手段、および該保存するための手段と通信し、
該トラフィックは、インターネットプロトコルプッシュデータを含み、
該トラフィック制御ルールは、サブスクリプションアイデンティティに対応する、装置。
【手続補正２】
【補正対象書類名】明細書
【補正対象項目名】００２６
【補正方法】変更
【補正の内容】
【００２６】
図４は、本発明に基づいて提供される動的な不要なトラフィックの制御技術を示す相互作用図である。図４を参照する。図２および３と同様に、無線通信装置４３０Ａには現在、アドレスＩＰ  Ａが割り当てられている。動的なＵＴＣ  ４１０は、ＩＰ  Ａがどのようなトラフィックを未知とするのかを把握する。これは、不要なＩＰ  Ａのブロックに２回に示されている。最初、未知のＩＰ  Ａ  ４２５は、図４に示されるパケット、および特にＰＫＴ４  ４３７に関するいずれの情報も含まない。したがって、ＰＫＴ４  ４３７が、ＩＰ  Ａのようなアドレス、すなわちＩＰ  〜Ａ宛である場合、動的なＵＴＣ  ４１０が、以降のＰＫＴ４のようなパケット、すなわち、〜ＰＫＴ４  ４６０が無線通信装置４３０Ａ宛であれば、４３５でそれをブロックするように、〜ＰＫＴ４を含むように未知のＩＰ  Ａ  ４４５を更新した後に、動的なＵＴＣ  ４１０は、好都合に一度ＰＫＴ４  ４３７を通過させる。別の実施態様では、ブロック動作によって、以降のパケットをブロックする前に、未知のＩＰ  Ａのリストに一致する所定数のパケットを許可すると想定される。